【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
故人及び／又は動物の放置された部屋の消臭方法であって、
体液、糞、尿から選ばれる汚物を清掃する汚物清掃作業と、
汚物の付着した箇所を解体する解体作業と、
解体作業後の部屋内にオゾンを噴霧するオゾン燻蒸作業と、
オゾン燻蒸作業後に、前記解体作業で露出した汚物の残存する箇所を塗料で覆う被覆作業を含むことを特徴とする、消臭方法。
【請求項２】
前記塗料が、油性下地塗料であることを特徴とする、請求項１に記載の消臭方法。
【請求項３】
消臭対象とする部屋の大きさが１０ｍ３以上の部屋であり、
前記オゾン燻蒸作業は、１ｍ３あたり、１５００ｍｇ以上、２５０００ｍｇ以下のオゾンを用いることを特徴とする、請求項１又は２に記載の消臭方法。
【請求項４】
さらに、前記解体作業前に、前記オゾン燻蒸作業を行うことを特徴とする、請求項１〜３の何れか１項に記載の消臭方法。
【請求項５】
前記汚物清掃作業前に、安定化二酸化塩素及び／又は次亜塩素酸を含む液剤を散布する消毒液散布作業を含むことを特徴とする、請求項１〜４の何れか１項に記載の消臭方法。
【請求項６】
前記オゾン燻蒸作業は、少なくとも最初のオゾン散布前に、プロテアーゼ、リパーゼ、アミラーゼ、セルラーゼから選ばれる一以上の酵素を含む消臭剤を散布する工程を含む、請求項１〜５の何れか１項に記載の消臭方法。
【請求項７】
前記消臭剤を適用した後及び／又は前記消臭剤を適用する前に、界面活性剤を散布することを特徴とする、請求項６に記載の消臭方法。
【請求項８】
前記汚物清掃作業は、過酸化水素水を用いて部屋を清掃する作業を含む、請求項１〜７の何れか１項に記載の消臭方法。
【手続補正２】
【補正対象書類名】明細書
【補正対象項目名】００１０
【補正方法】変更
【補正の内容】
【００１０】
本発明の好ましい実施の形態では、前記オゾン燻蒸作業は、１ｍ３あたり、１５００ｍｇ以上のオゾンを用いることを特徴とする。
下限以上の量のオゾンを用いることで、故人及び／又は動物の放置された部屋をより確実に消臭することができる。
【手続補正３】
【補正対象書類名】明細書
【補正対象項目名】００３７
【補正方法】変更
【補正の内容】
【００３７】
（２）オゾン燻蒸
オゾン燻蒸作業は、部屋内にオゾンを噴霧する作業である。
ここで、オゾン燻蒸作業における、オゾンの使用量は、１ｍ３あたり、好ましくは１５００ｍｇ以上、より好ましくは３０００ｍｇ以上、さらに好ましくは４５００ｍｇ以上、特に好ましくは６０００ｍｇ以上である。
下限以上の量のオゾンを噴霧することで、より確実に故人の放置された部屋を消臭することができる。
【手続補正４】
【補正対象書類名】明細書
【補正対象項目名】００３８
【補正方法】変更
【補正の内容】
【００３８】
また、オゾン燻蒸作業における、オゾンの使用量は、１ｍ３あたり、好ましくは２５０００ｍｇ以下、より好ましくは２００００ｍｇ以下、さらに好ましくは１５０００ｍｇ以下、特に好ましくは１２０００ｍｇ以下である。
上限以下のオゾン使用量であっても、故人の放置された部屋を十分に消臭することができる。
【手続補正５】
【補正対象書類名】明細書
【補正対象項目名】００４０
【補正方法】変更
【補正の内容】
【００４０】
（i）故人の放置された部屋の室温が２６℃以上の場合
故人の放置された部屋の室温が２６℃以上の場合のオゾンの使用量は、１ｍ３あたり、より好ましくは３０００ｍｇ以上、さらに好ましくは４５００ｍｇ以上、特に好ましくは６０００ｍｇ以上である。
下限以上の量のオゾンを噴霧することで、より確実に故人の放置された部屋を消臭することができる。
【手続補正６】
【補正対象書類名】明細書
【補正対象項目名】００４１
【補正方法】変更
【補正の内容】
【００４１】
故人の放置された部屋の室温が２６℃以上の場合のオゾンの使用量は、１ｍ３あたり、好ましくは３００００ｍｇ以下、より好ましく２５０００ｍｇ以下、さらに好ましくは２００００ｍｇ以下、特に好ましくは１５０００ｍｇ以下である。
上限以下のオゾン使用量であっても、故人の放置された部屋を十分に消臭することができる。
【手続補正７】
【補正対象書類名】明細書
【補正対象項目名】００４２
【補正方法】変更
【補正の内容】
【００４２】
（ii）故人の放置された部屋の室温が２６℃以下、２０℃以上の場合
故人の放置された部屋の室温が２６℃以下、２０℃以上の場合のオゾンの使用量は、１ｍ３あたり、好ましくは１５００ｍｇ以上、より好ましくは３０００ｍｇ以上、さらに好ましくは４０００ｍｇ以上である。
【手続補正８】
【補正対象書類名】明細書
【補正対象項目名】００４３
【補正方法】変更
【補正の内容】
【００４３】
故人の放置された部屋の室温が２６℃以下、２０℃以上の場合のオゾンの使用量は、１ｍ３あたり、好ましくは１５０００ｍｇ以下、より好ましく１２０００ｍｇ以下、さらに好ましくは９０００ｍｇ以下、特に好ましくは７０００ｍｇ以下である。
上限以下のオゾン使用量であっても、故人の放置された部屋を十分に消臭することができる。
【手続補正９】
【補正対象書類名】明細書
【補正対象項目名】００４４
【補正方法】変更
【補正の内容】
【００４４】
（iii）故人の放置された部屋の室温が２０℃以下の場合
故人の放置された部屋の室温が２０℃以下の場合のオゾンの使用量は、１ｍ３あたり、好ましくは１５００ｍｇ以上である。
【手続補正１０】
【補正対象書類名】明細書
【補正対象項目名】００４５
【補正方法】変更
【補正の内容】
【００４５】
故人の放置された部屋の室温が２０℃以下の場合のオゾンの使用量は、１ｍ３あたり、好ましくは１００００ｍｇ以下、より好ましく７０００ｍｇ以下、さらに好ましくは４０００ｍｇ以下である。
上限以下のオゾン使用量であっても、故人の放置された部屋を十分に消臭することができる。
【手続補正１１】
【補正対象書類名】明細書
【補正対象項目名】００８３
【補正方法】変更
【補正の内容】
【００８３】
オゾン燻蒸作業における、オゾンの使用量は、１ｍ３あたり、好ましくは１５００ｍｇ以上、より好ましくは３０００ｍｇ以上、さらに好ましくは４５００ｍｇ以上、特に好ましくは６０００ｍｇ以上である。
下限以上の量のオゾンを噴霧することで、動物の放置された部屋をより確実に消臭することができる。
【手続補正１２】
【補正対象書類名】明細書
【補正対象項目名】００８４
【補正方法】変更
【補正の内容】
【００８４】
また、オゾン燻蒸作業における、オゾンの使用量は、１ｍ３あたり、好ましくは２５０００ｍｇ以下、より好ましくは２００００ｍｇ以下、さらに好ましくは１５０００ｍｇ以下、特に好ましくは１２０００ｍｇ以下である。
上限以下のオゾン使用量であっても、動物の放置された部屋をより確実に消臭することができる。
【手続補正１３】
【補正対象書類名】明細書
【補正対象項目名】００９６
【補正方法】変更
【補正の内容】
【００９６】
（２−５）汚物清掃作業Ｓ１２〜オゾン燻蒸作業Ｓ１３の繰り返し作業
上記汚物清掃作業Ｓ１２〜オゾン燻蒸作業Ｓ１３を、解体作業Ｓ１４後にもう一度行った。
ここで、オゾンの総使用量は、１ｍ３あたり９０００ｍｇ程度であった。
【手続補正１４】
【補正対象書類名】明細書
【補正対象項目名】０１０９
【補正方法】変更
【補正の内容】
【０１０９】
（２−５）汚物清掃作業Ｓ１２〜オゾン燻蒸作業Ｓ１３の繰り返し作業
上記汚物清掃作業Ｓ１２〜オゾン燻蒸作業Ｓ１３を、解体作業Ｓ１４後にもう一度行った。
ここで、オゾンの総使用量は、４０ｍ３の空間と、およそ６０ｍ３の空間に対し、総量で３９００００程度（１ｍ３あたり、３９００ｍｇ）であった。
【手続補正１５】
【補正対象書類名】明細書
【補正対象項目名】０１２２
【補正方法】変更
【補正の内容】
【０１２２】
上記の（２−２）液剤散布作業（弱アルカリ性液剤の散布）、（２−３）オゾン燻蒸作業、（２−４）液剤散布作業（弱酸性液剤の散布）、（２−５）オゾン燻蒸作業を、室内の消臭が感じられなくなるまで繰り返すことにより、室内を消臭した。
ここで、オゾンの総使用量は、およそ６０ｍ３の空間に対し、５４００００ｍｇ程度（１ｍ３あたり、９０００ｍｇ）であった。
【手続補正１６】
【補正対象書類名】明細書
【補正対象項目名】０１３３
【補正方法】変更
【補正の内容】
【０１３３】
上記の（２−２）液剤散布作業Ｓ２２（弱アルカリ性液剤の散布）、（２−３）オゾン燻蒸作業Ｓ２３、（２−４）液剤散布作業Ｓ２４（弱酸性液剤の散布）、（２−５）オゾン燻蒸作業Ｓ２５を、室内の消臭が感じられなくなるまで繰り返すことにより、室内を消臭した。
ここで、オゾンの総使用量は、およそ１００ｍ３の空間に対し、１０４００００ｍｇ程度（１ｍ３あたり、１０４００ｍｇ）であった。